(57)【要約】【課題】本発明は、移動中の移動部材に対するユーザの接触を抑制する記録材処理装置を提供することを目的とする。【解決手段】本発明の記録材処理装置は、用紙が積載される積載面と、搬送されてきた用紙を保持しながら用紙の搬送方向と交差する方向に移動し積載面における用紙の積載箇所を異ならせるオフセット排出ロールとを有し、搬送されてきた用紙を収容する記録材収容部と、少なくとも一方向から記録材収容部を覆うとともに、記録材収容部に対して開閉可能に設けられるカバー部材と、記録材収容部を覆ったカバー部材を固定するとともに、オフセット排出ロールの交差する方向における移動の終了に応じて固定を解除するカバーロック部とを含む。【選択図】図７
2012096897.tif 000002
【特許請求の範囲】
【請求項１】
記録材が積載される積載面と、搬送されてきた記録材を保持しながら記録材の搬送方向と交差する方向に移動し当該積載面における記録材の積載箇所を異ならせる移動部材とを有し、搬送されてきた記録材を収容する記録材収容部と、
少なくとも一方向から前記記録材収容部を覆うとともに、当該記録材収容部に対して開閉可能に設けられる覆い部材と、
前記記録材収容部を覆った前記覆い部材を固定するとともに、前記移動部材の前記交差する方向における移動の終了に応じて固定を解除する固定解除機構と
を含む記録材処理装置。
【請求項２】
前記固定解除機構は、前記移動部材が前記交差する方向における移動を開始する前に前記覆い部材を固定することを特徴とする請求項１記載の記録材処理装置。
【請求項３】
前記移動部材は、搬送されてきた記録材を回転することにより前記積載面に送り出し、
前記固定解除機構は、前記移動部材の前記交差する方向における移動が終了し、かつ記録材の前記積載面に送り出す回転が終了した後に固定を解除することを特徴とする請求項１または２記載の記録材処理装置。
【請求項４】
前記固定解除機構は、前記移動部材が複数の記録材を順に記録材の搬送方向と交差する方向に移動させる場合には、前記移動部材による最後の記録材の移動が終了した後に固定を解除することを特徴とする請求項１乃至３のいずれか１項記載の記録材処理装置。
【請求項５】
記録材が積載される積載面と、待機位置で待機し搬送されてきた記録材を保持しながら記録材の搬送方向と交差する方向に移動し当該積載面における記録材の積載箇所を異ならせるとともに積載箇所を異ならせる動作を行った後当該待機位置に戻る移動部材とを有し、搬送されてきた記録材を収容する記録材収容部と、
少なくとも一方向から前記記録材収容部を覆うとともに、当該記録材収容部に対して開閉可能に設けられる覆い部材と、
前記記録材収容部を覆った前記覆い部材を固定するとともに、前記移動部材による記録材の積載箇所を異ならせる動作の終了に応じて固定を解除する固定解除機構と、
前記固定解除機構が固定を解除しているが前記移動部材が前記待機位置に戻る動作の間にユーザによって前記覆い部材に対する開放操作がなされた際、当該移動部材が当該待機位置に戻る動作を停止させる停止手段と
を含む記録材処理装置。
【請求項６】
前記移動部材は、搬送されてきた記録材を回転することにより前記積載面に送り出すとともに当該送り出しを行った後も予め定められた時間、回転を継続し、
前記停止手段は、前記固定解除機構が固定を解除しているが前記移動部材が記録材の送り出しを行った後で回転を継続している間にユーザによって前記覆い部材に対する開放操作がなされた際、当該移動部材が回転する動作を停止させることを特徴とする請求項５記載の記録材処理装置。
【発明の詳細な説明】
【技術分野】
【０００１】
本発明は、記録材処理装置に関する。
【背景技術】
【０００２】
従来技術として、軽度障害を持つオペレータの安全性を確保することが可能な画像形成装置の提供を目的として、給紙又は排紙をするための開口部と、この開口部に設けられ、給紙又は排紙をするための給紙手段又は排紙手段と、この給紙手段又は排紙手段を遮蔽する遮蔽カバーと、この遮蔽カバーの開閉を行う遮蔽カバー制御手段とを有する画像形成装置が知られている（特許文献１参照）。
【先行技術文献】
【特許文献】
【０００３】
【特許文献１】特開２００５−７５５６５号公報
【発明の概要】
【発明が解決しようとする課題】
【０００４】
本発明は、記録材の搬送方向と交差する方向に移動中の移動部材に対するユーザの接触を抑制する記録材処理装置を提供することを目的とする。
【課題を解決するための手段】
【０００５】
請求項１記載の発明は、記録材が積載される積載面と、搬送されてきた記録材を保持しながら記録材の搬送方向と交差する方向に移動し当該積載面における記録材の積載箇所を異ならせる移動部材とを有し、搬送されてきた記録材を収容する記録材収容部と、少なくとも一方向から前記記録材収容部を覆うとともに、当該記録材収容部に対して開閉可能に設けられる覆い部材と、前記記録材収容部を覆った前記覆い部材を固定するとともに、前記移動部材の前記交差する方向における移動の終了に応じて固定を解除する固定解除機構とを含む記録材処理装置である。
請求項２記載の発明は、前記固定解除機構は、前記移動部材が前記交差する方向における移動を開始する前に前記覆い部材を固定することを特徴とする請求項１記載の記録材処理装置である。
請求項３記載の発明は、前記移動部材は、搬送されてきた記録材を回転することにより前記積載面に送り出し、前記固定解除機構は、前記移動部材の前記交差する方向における移動が終了し、かつ記録材の前記積載面に送り出す回転が終了した後に固定を解除することを特徴とする請求項１または２記載の記録材処理装置である。
請求項４記載の発明は、前記固定解除機構は、前記移動部材が複数の記録材を順に記録材の搬送方向と交差する方向に移動させる場合には、前記移動部材による最後の記録材の移動が終了した後に固定を解除することを特徴とする請求項１乃至３のいずれか１項記載の記録材処理装置である。
請求項５記載の発明は、記録材が積載される積載面と、待機位置で待機し搬送されてきた記録材を保持しながら記録材の搬送方向と交差する方向に移動し当該積載面における記録材の積載箇所を異ならせるとともに積載箇所を異ならせる動作を行った後当該待機位置に戻る移動部材とを有し、搬送されてきた記録材を収容する記録材収容部と、少なくとも一方向から前記記録材収容部を覆うとともに、当該記録材収容部に対して開閉可能に設けられる覆い部材と、前記記録材収容部を覆った前記覆い部材を固定するとともに、前記移動部材による記録材の積載箇所を異ならせる動作の終了に応じて固定を解除する固定解除機構と、前記固定解除機構が固定を解除しているが前記移動部材が前記待機位置に戻る動作の間にユーザによって前記覆い部材に対する開放操作がなされた際、当該移動部材が当該待機位置に戻る動作を停止させる停止手段とを含む記録材処理装置である。
請求項６記載の発明は、前記移動部材は、搬送されてきた記録材を回転することにより前記積載面に送り出すとともに当該送り出しを行った後も予め定められた時間、回転を継続し、前記停止手段は、前記固定解除機構が固定を解除しているが前記移動部材が記録材の送り出しを行った後で回転を継続している間にユーザによって前記覆い部材に対する開放操作がなされた際、当該移動部材が回転する動作を停止させることを特徴とする請求項５記載の記録材処理装置である。
【発明の効果】
【０００６】
請求項１記載の発明によれば、本構成を有しない場合に比較して、記録材の搬送方向と交差する方向に移動中の移動部材に対するユーザの接触を抑制する記録材処理装置を提供することができる。
請求項２記載の発明によれば、本構成を有しない場合に比較して、記録材の搬送方向と交差する方向に移動中の移動部材に対するユーザの接触をより抑制することができる。
請求項３記載の発明によれば、本構成を有しない場合に比較して、回転及び記録材の搬送方向と交差する方向に移動する移動部材にユーザが接触することを抑制することができる。
請求項４記載の発明によれば、本構成を有しない場合に比較して、複数の記録材を処理する際に記録材の搬送方向と交差する方向に移動中の移動部材に対するユーザの接触を抑制することができる。
請求項５記載の発明によれば、本構成を有しない場合に比較して、記録材の搬送方向と交差する方向に移動中の移動部材に対するユーザの接触を抑制する記録材処理装置を提供することができる。
請求項６記載の発明によれば、本構成を有しない場合に比較して、回転及び記録材の搬送方向と交差する方向に移動する移動部材にユーザが接触することを抑制することができる。
【図面の簡単な説明】
【０００７】
【図１】本実施の形態が適用される画像形成装置を示す概略構成図である。
【図２】本実施の形態が適用される画像形成装置を示す斜視図である。
【図３】本実施の形態が適用されるカバーロック部の説明図である。
【図４】本実施の形態が適用される胴内排出ロールの駆動系を説明する説明図である。
【図５】オフセット排出ロールの移動を説明する図である。
【図６】オフセット排出ロールと用紙の位置との関係を説明する図である。
【図７】オフセット排出ロールとカバーロック部との関係を示すタイミングチャートである。
【図８】オフセット排出ロールとカバーロック部との関係を示すタイミングチャートの他の一例である。
【発明を実施するための形態】
【０００８】
以下、添付図面を参照して、本発明の実施の形態について詳細に説明する。
＜第１の実施形態＞
＜画像形成装置１００＞
図１は、本実施の形態が適用される画像形成装置１００を示す概略構成図である。図１に示す画像形成装置１００は、所謂タンデム型のカラープリンタである。この画像形成装置１００は、各色の画像データに対応して画像形成を行う画像形成部１０（記録材処理部）と、画像形成装置１００全体の動作を制御する制御部２０とを備えている。また、画像形成装置１００は、画像形成装置１００の上方側に設けられ、原稿の画像を読み取るスキャナにより構成される画像読取装置３０（画像読取部）を備えている。さらに、画像形成装置１００は、画像形成部１０に用紙Ｓを供給する用紙供給部４０を備えている。
【０００９】
ここで、画像形成装置１００の各構成部材は、筺体５０の内部に収容されている。また、画像読取装置３０の下方であって筺体５０の上部の面には、画像形成部１０によって画像が形成された用紙Ｓが積載される積載面をもつ胴内積載部６０が設けられている。さらに画像形成装置１００は、開閉可能に設けられ胴内積載部６０と画像読取装置３０との間に形成される記録材収容部の一例である空間の前面（操作面側、画像形成装置１００のフロント側）を覆うカバー部材８０が設けられている。また、画像形成装置１００は、カバー部材８０を閉じられた状態でロック（固定）するカバーロック部７０を有するとともに、閉じられたカバー部材８０と対向する位置にカバー部材８０が閉じられていることを検知するカバーセンサ（図示せず）を有する。
【００１０】
＜画像形成部１０＞
画像形成部１０には、一定の間隔をおいて並列的に配置される４つの画像形成ユニット１Ｙ，１Ｍ，１Ｃ，１Ｋが備えられている。各画像形成ユニット１Ｙ，１Ｍ，１Ｃ，１Ｋは、静電潜像を形成してトナー像を保持する感光体ドラム１２を備えており、いわゆる電子写真方式によってトナー像を形成する。ここで、各画像形成ユニット１Ｙ，１Ｍ，１Ｃ，１Ｋは、現像装置に収納されるトナーを除いて、同様に構成される。そして、各画像形成ユニット１Ｙ，１Ｍ，１Ｃ，１Ｋは、それぞれがイエロー（Ｙ）、マゼンタ（Ｍ）、シアン（Ｃ）、黒（Ｋ）のトナー像を形成する。このようなことから、以下の説明においては、画像形成ユニット１Ｙ、１Ｍ、１Ｃ、１Ｋの各構成についてはそれぞれ「Ｙ」、「Ｍ」、「Ｃ」、「Ｋ」という符号を付して区別するが、区別する必要のないときは、これらの符号は付さない。
【００１１】
また、画像形成部１０は、各画像形成ユニット１の感光体ドラム１２上に形成された各色トナー像が転写される中間転写ベルト１３を備えている。また、画像形成部１０は、各画像形成ユニット１にて形成された各色トナー像を中間転写ベルト１３に順次転写（一次転写）する一次転写ロール１７を備えている。さらに、画像形成部１０は、中間転写ベルト１３上に重畳して形成された各色トナー像を記録材（記録紙）である用紙Ｓに一括転写（二次転写）する二次転写部１９と、二次転写された各色トナー像を用紙Ｓに定着させる定着装置２１とを備えている。
さらにまた、画像形成部１０は、定着装置２１によってトナー像が定着された用紙Ｓの通過を検知するエグジットセンサ２２を備える。さらにまた、このエグジットセンサ２２を通過した用紙Ｓを胴内積載部６０に排出するオフセット排出ロール２３を備える。移動部材の一位例であるオフセット排出ロール２３は、後述するオフセット処理を行う際、用紙Ｓの搬送を行いながら、用紙Ｓの積載位置が、用紙Ｓの搬送経路と交差する方向にずれるようになる（詳細は後述）。
【００１２】
用紙供給部４０は、用紙収容部４１と、繰り出しロール４３と、捌きロール４５とレジロール４７とを備える。用紙収容部４１は、用紙Ｓを収容する。繰り出しロール４３は、用紙収容部４１の上部に配設され、用紙収容部４１に収容される用紙Ｓの束のうち、最上位の用紙Ｓを繰り出す。捌きロール４５は、繰り出しロール４３にて繰り出された用紙Ｓを１枚ずつに捌いて搬送する。また、レジロール４７は、捌きロール４５によって捌いて搬送された用紙Ｓを一旦停止させ、タイミングを合わせて回転を再開することにより二次転写部１９に対して用紙Ｓを供給する。
【００１３】
＜カバー部材８０＞
次に、図１及び図２を参照しながら、カバー部材８０について説明をする。ここで、図２は、本実施の形態が適用される画像形成装置１００を示す斜視図である。
まず、覆い部材の一例であるカバー部材８０は、図２に示すように、画像形成装置１００の前面（操作面側）に開閉可能に設けられている（矢印Ａ参照）。ここで、本実施の形態では、胴内積載部６０と画像読取装置３０との間であって画像形成装置１００の全面側に、画像が形成された用紙Ｓが取り出される取り出し開口５３が形成されている。本実施の形態におけるカバー部材８０は、この取り出し開口５３を覆うように設けられている。
【００１４】
ここで、カバー部材８０は、胴内積載部６０上に排出された用紙Ｓが取り出し開口５３から取り出されることや、胴内積載部６０側に露出するオフセット排出ロール２３にユーザの体の一部やペン等の異物が接触することを抑制する。なお、上記では説明を省略したが、カバー部材８０は、板状の部分であるカバー面８０ａと、カバー面８０ａの一方の端部（下端部）に設けられたヒンジ８１と、ヒンジ８１が設けられた一方の端部とは反対側の端部に設けられ画像形成装置１００の本体部側によりその移動が規制される被拘束部８５とを有する。
【００１５】
カバー面８０ａは、カバー部材８０が閉じられた状態において、画像読取装置３０の下部から胴内積載部６０の下方までを覆う寸法で構成されている。
カバー部材のヒンジ８１は、図２に示すように、閉じられた状態のカバー部材８０（図２の破線参照）の下側の端部に設けられるとともに、胴内積載部６０の下方において筺体５０に固定されている。
被拘束部８５は、カバー部材８０が綴じられた状態にて、オフセット排出ロール２３が設けられる筺体側面５０ａ側に対向配置される。本実施の形態における被拘束部８５は、カバー面８０ａと連続した状態で形成される。また、被拘束部８５は、筺体側面５０ａに向けて開口する開口８７（詳細は後述）を有する。
【００１６】
＜カバーロック部７０＞
次に、図２及び図３を参照しながら、カバーロック部７０について説明をする。ここで、図３（Ａ）はカバーロック部７０周辺の斜視図であり、図３（Ｂ）は図３（Ａ）のＩ面におけるカバーロック部７０の断面図である。詳細には、（Ｂ−１）はカバーロック部７０によるロックが解除されている状態を示し、（Ｂ−２）はカバーロック部７０によってロックされている状態を示す。
【００１７】
固定解除機構の一例であるカバーロック部７０は、カバー部材８０が閉じられた状態で、カバー部材８０の被拘束部８５と対向する位置に設けられる。図２においては、カバーロック部７０は取り出し開口５３の左上（図２の楕円内）に配置される。
またカバーロック部７０は、図３（Ａ）、（Ｂ）に示すように、被拘束部８５を拘束するロックピン７１と、このロックピン７１と接続されロックピン７１を移動させるソレノイド７５と、ロックピン７１とソレノイド７５との間に設けられロックピン７１を元の位置（図３の（Ｂ−１）の位置）に戻す戻しばね７３とを有する。
【００１８】
ここで、ロックピン７１は、同図（Ｂ−１）、（Ｂ−２）に示すように、屈曲部７１ｃを有するＬ字状の部材であり、被拘束部８５に対して進退可能に設けられる(矢印Ｂ及びＣ参照)。このロックピン７１は、屈曲部７１ｃから被拘束部８５に向けて延びる主部７１１と、屈曲部７１ｃにて主部７１１に固定して接続され主部７１１と交差する方向（直交する方向）に延びる副部７１２とを有する。そして、ロックピン７１の主部７１１は筺体側面５０ａを貫通して設けられている。
ソレノイド７５は、ロックピン７１の副部７１２の端部７１ａ（主部７１１に接続された端部とは反対側に位置する端部）に接続されている。ソレノイド７５は、この副部７１２側の端部７１ａを被拘束部８５に対して進退させる(矢印Ｂ及びＣ参照)。なお、戻しばね７３は、この端部７１ａとソレノイド７５との間に設けられている。
【００１９】
図３の（Ｂ−１）及び（Ｂ−２）を参照しカバーロック部７０の動作を説明する。
まず、図３の（Ｂ−１）に示されるように、カバーロック部７０によるロックが解除されている状態においては、ロックピン７１の主部７１１側の端部７１ｂが、筺体側面５０ａに接近した位置Ｐａに配置されている。ここで、ロックピン７１の端部７１ｂが位置Ｐａに配置されている状態においては、ロックピン７１は、被拘束部８５の開口８７に進入していない。したがって、被拘束部８５がロックピン７１によって移動が制限されないことからカバー部材８０を開放することが可能である。
【００２０】
そして、ソレノイド７５が駆動しロックピン７１の副部７１２側の端部７１ａが矢印Ｂ方向に移動すると、ロックピン７１の主部７１１が筺体側面５０ａからさらに突出し、筺体側面５０ａより離れた位置Ｐｂへと移動する。そして、図３（Ｂ−２）に示されるように、ロックピン７１が位置Ｐｂに配置されることにより、カバーロック部７０によってカバー部材８０がロックされ、カバー部材８０は閉じられた状態で固定される。具体的には、ロックピン７１の端部７１ｂが被拘束部８５の開口８７に進入しており、被拘束部８５の移動経路上にロックピン７１が位置する状態となる。これにより、被拘束部８５はロックピン７１によって移動が制限され、カバー部材８０の開放が制限される。なお、ロックピン７１が位置Ｐｂへと移動する際、戻しばね７３は圧縮される。
【００２１】
一方で、カバーロック部７０によるカバー部材８０のロックを解除する（ロックを外す）場合には、上述の動作とは反対の動作が行われる。具体的に説明すると、オン状態とされていたソレノイド７５がオフ状態とされる。これにより戻しばね７３が伸長する。そしてこの伸長によって、ロックピン７１が矢印Ｃ方向に押圧され、被拘束部８５から離れる方向にロックピン７１が移動する。これにより、被拘束部８５の移動経路上からはずれた位置Ｐａにロックピン７１が位置するようになる。そしてこの状態になると、カバー部材８０の開放が可能となる。
【００２２】
＜オフセット排出ロール２３＞
次に、図１及び図４乃至図６を参照しながら、オフセット排出ロール２３について説明をする。ここで、図４は、本実施の形態が適用されるオフセット排出ロール２３の駆動系を説明する説明図である。図５は、オフセット排出ロール２３の動作を説明する図である。図６は、オフセット排出ロール２３と用紙Ｓの位置との関係を説明する図である。なお、図６は、オフセット排出ロール２３及び胴内積載部６０を上方から眺めた状態を示している。また、図６では、後述位置Ｐｈの図示を省略している。
【００２３】
まず、図４に示すように、オフセット排出ロール２３は、駆動源であるモータＭからの駆動力を受ける駆動ロール２３ａと、この駆動ロール２３ａに従動しかつ駆動ロール２３ａとの間にニップ部を形成する従動ロール２３ｂとを有する。なお、この駆動ロール２３ａと従動ロール２３ｂとは、図２に示すように、筺体５０の胴内積載部６０が設けられる側の側面である筺体側面５０ａから露出した状態で設けられている。
【００２４】
また、本実施の形態では、駆動ロール２３ａと同軸で設けられ、駆動ロール２３ａを回転させる駆動力を受ける駆動歯車２３ｃが設けられている。さらに、モータＭからの駆動を駆動歯車２３ｃに伝達する歯車Ｇ１、Ｇ２が設けられている。また、モータＭと歯車Ｇ２との間に、電磁クラッチ２５が設けられている。この電磁クラッチ２５をオンまたはオフすることで、モータＭからオフセット排出ロール２３への駆動力の伝達を遮断される。
さらに、本実施の形態では、図５（Ａ）に示すように、駆動ロール２３ａの軸方向において、歯車Ｇ１の軸方向における寸法が駆動歯車２３ｃの軸方向における寸法よりも小さくなっている。さらに、本実施の形態では、図５の矢印Ｅ、Ｆに示すように、駆動ロール２３ａが、駆動ロール２３ａの軸方向に移動可能に設けられている。このため、本実施の形態では、駆動歯車２３ｃが歯車Ｇ１に対して移動するようになる。なおモータＭからの駆動力は、画像形成装置１００の他の部材や他の機構（中間転写ベルト１３や二次転写部１９等）にも不図示のギアを介して伝達される。付言すると、本実施の形態では、モータＭの共有化が図られている。なお、本実施の形態では、このようにモータＭを共用しているが、駆動ロール２３ａを回転させる専用のモータを設けてもよい。
【００２５】
また、図５に示すように、オフセット排出ロール２３の駆動ロール２３ａは、オフセット排出ロール２３の回転軸となるシャフト２３ａ１と、このシャフト２３ａ１の周囲に設けられ従動ロール２３ｂとともにニップ部を形成するロール部２３ａ２とを有する。本実施の形態においては、２つのロール部２３ａ２が、シャフト２３ａ１に沿う方向において離間して設けられている。
【００２６】
また、駆動ロール２３ａのシャフト２３ａ１は、用紙Ｓの搬送経路と交差する方向（直交する方向）に沿って配置される。このシャフト２３ａ１は、図示しないリンク機構を介して、図示しないステッピングモータと接続されている。そして、このステッピングモータによって、駆動ロール２３ａは、シャフト２３ａ１の軸線に沿う方向、すなわち用紙Ｓの搬送経路と交差する方向に移動する。具体的には、画像形成装置１００のリア側（図１の紙面奥側、図５の右側）の位置Ｐｉと、フロント側（図１の紙面手前側、図５の左側）の位置Ｐｊとの間で変位可能に設けられている（矢印Ｅ及びＦ参照）。また、本実施の形態では、位置Ｐｉと位置Ｐｊとの中間点に、オフセット排出ロール２３が待機する位置（ホームポジション）である位置Ｐｈが設定されている。
【００２７】
次に、図６を参照しながら、オフセット排出ロール２３の動作について説明をする。
まず、用紙Ｓが定着装置２１からオフセット排出ロール２３に搬送されてくる前に、ステッピングモータの駆動により、オフセット排出ロール２３は待機位置の一例であるホームポジションである位置Ｐｈから、リア側の位置Ｐｉへと一旦移動する。なお、オフセット排出ロール２３と一体として設けられる駆動歯車２３ｃ（図４参照）は、ステッピングモータの駆動によりリア側へと移動するが、歯車Ｇ１、Ｇ２は移動しない。
そして、定着装置２１から搬送されてきた用紙Ｓがオフセット排出ロール２３に到達し、駆動ロール２３ａと従動ロール２３ｂとによって用紙Ｓの搬送方向における先端が挟まれる。用紙Ｓを挟んだオフセット排出ロール２３は、回転をするとともにリア側の位置Ｐｉからフロント側の位置Ｐｊに向けて移動（矢印Ｆ参照）する。これにより、オフセット排出ロール２３によって挟まれた用紙Ｓは、搬送方向下流側へと搬送される（矢印Ｇ参照）とともに、用紙Ｓの搬送経路と直交（交差）する方向に移動する（矢印Ｆ参照）。その結果、用紙Ｓは胴内積載部６０の位置Ｓ１（図中左側に寄った位置、図中実線で示す位置）に配置される。
【００２８】
なお、オフセット排出ロール２３によるオフセット処理が行われない場合には、用紙Ｓは、図中右側に寄った位置Ｓ０に配置される。付言すると、本実施の形態では、オフセット処理が行われない場合、用紙Ｓは右側に寄った位置Ｓ０に排出され、オフセット処理が行われる場合、用紙Ｓは左側に寄った位置Ｓ１に排出される。さらに説明すると、オフセット処理が行われる場合とオフセット処理が行われない場合とでは、用紙Ｓの排出位置が図６に示すように距離Ｐｘだけずれる。
【００２９】
ここで、一枚目の用紙Ｓが胴内積載部６０へ排出された後、オフセット排出ロール２３は位置Ｐｉに戻る。そして、新たな用紙Ｓ（２枚目の用紙Ｓ）が搬送されてくると、ニップした状態で位置Ｐｊに移動する。そして、本実施の形態では、用紙Ｓが搬送されてくる度に、位置Ｐｉへの移動、位置Ｐｊへの移動が繰り返される。これにより、上記位置Ｓ１に用紙束が生成されるようになる。このように用紙束が生成された後、オフセット排出ロール２３は、位置Ｐｉにて停止される。そして、オフセット排出ロール２３は、この状態にて、用紙Ｓを胴内積載部６０へ順次排出する。これにより、位置Ｓ０に用紙束が生成されるようになる。そして、本実施の形態では、オフセット処理を行う動作（位置Ｓ１に用紙Ｓを排出する動作）と、オフセット処理を行わない動作（位置Ｓ０に用紙Ｓを排出する動作）とが交互に繰り返される。これにより、距離Ｐｘずれた状態の用紙束が、胴内積載部６０上に積載されるようになる。ここで、このように用紙束がずれて積載される場合、一つの用紙束内に複数部の用紙束が含まれることが抑制され、各用紙束の配布等を行いやすくなる。
【００３０】
＜画像形成装置１００の動作＞
ここで、画像形成装置１００の動作について説明をする。
画像形成装置１００が画像形成動作を開始すると、画像読取装置３０等から入力された画像データは、予め定められた画像処理が施された後、各画像形成ユニット１に送られる。そして、例えば黒（Ｋ）色トナー像を形成する画像形成ユニット１Ｋでは、感光体ドラム１２が回転しながら、予め定められた電位で一様に帯電された後に走査露光される。それにより、感光体ドラム１２上には、黒（Ｋ）色画像に関する静電潜像が形成される。そして、感光体ドラム１２上に形成された静電潜像は現像され、感光体ドラム１２上には黒（Ｋ）色トナー像が形成される。同様に、画像形成ユニット１Ｙ，１Ｍ，１Ｃにおいても、それぞれイエロー（Ｙ）、マゼンタ（Ｍ）、シアン（Ｃ）の各色のトナー像が形成される。
【００３１】
各画像形成ユニット１で形成された各色のトナー像は、回転駆動される中間転写ベルト１３上に、一次転写ロール１７により順次静電吸引される。これにより中間転写ベルト１３には各色トナーが重畳された重畳トナー像が形成される。そして、中間転写ベルト１３上の重畳トナー像は、中間転写ベルト１３の移動に伴って二次転写部１９に搬送される。
一方で、用紙収容部４１に積載された用紙Ｓは、繰り出しロール４３によって繰り出され、捌きロール４５によって捌かれて搬送される。さらに、捌かれた用紙Ｓはレジロール４７によって二次転写部１９へと供給される。
そして、重畳トナー像は、二次転写部１９が形成する転写電界の作用により、レジロール４７を経て供給される用紙Ｓ上に一括して静電転写される。
【００３２】
その後、重畳トナー像が静電転写された用紙Ｓは、中間転写ベルト１３から剥離され、定着装置２１まで搬送される。定着装置２１に搬送された用紙Ｓ上のトナー像は、定着装置２１によって熱及び圧力による定着処理を受けて用紙Ｓ上に定着される。そして、定着画像が形成された用紙Ｓは、エグジットセンサ２２によって検知された後、オフセット排出ロール２３によって胴内積載部６０に排出され積載される。このようにして、画像形成装置１００での画像形成がプリント枚数分のサイクルだけ繰り返される。
【００３３】
ここで、図７（オフセット排出ロール２３とカバーロック部７０との関係を示すタイミングチャートを示した図）を参照して、胴内積載部６０に用紙Ｓが排出される際の各部の動作を詳細に説明する。
【００３４】
図７の上段に示すように、エグジットセンサ２２にて用紙Ｓの先端が通過したことが検知されると（符号７Ａ参照）、回転しているオフセット排出ロール２３がホームポジションである位置Ｐｈからリア側の位置Ｐｉへと移動する（符号７Ｂ参照）。そして、位置Ｐｉに配置されたオフセット排出ロール２３に用紙Ｓの先端が到達するタイミングにて（符号７Ｃ参照）と、オフセット排出ロール２３は回転を維持しながらリア側の位置Ｐｉからフロント側の位置Ｐｊに向けて移動を開始する（符号７Ｄ参照）。これにより、用紙Ｓは搬送方向下流側に向けて搬送されるとともに搬送方向と直交する方向に移動するようになる。その後、用紙Ｓは胴内積載部６０に排出される。ここで、胴内積載部６０における用紙Ｓの排出位置は、上記にて説明したとおり位置Ｓ１である。
【００３５】
ここで、位置Ｓ１への用紙Ｓの排出が終了した後、位置Ｐｊに位置するオフセット排出ロール２３は、上記の通り位置Ｐｉまで移動する。そして、２枚目の用紙Ｓがオフセット排出ロール２３に到達すると、オフセット排出ロール２３は再び用紙Ｓを搬送しながら位置Ｐｉから位置Ｐｊへと移動する。さらに３枚目以降の用紙Ｓについてもこの動作を繰り返す。これにより、上記にて説明したとおり、位置Ｓ１に用紙束が生成される。その後、本実施の形態では、上述のとおりオフセット排出ロール２３が、位置Ｐｉにとどまった状態となり、複数の用紙Ｓが順次排出される。これにより、上記にて説明した位置Ｓ０にも用紙束が生成される。そして、本実施の形態では、上記の通り、オフセット処理を行う動作と、オフセット処理を行わない動作とが交互に繰り返される。これにより、ずれた状態の用紙束が胴内積載部６０上に積載されるようになる。
【００３６】
ここで、胴内積載部６０への用紙Ｓの排出が終了し、オフセット排出ロール２３がホームポジションに移動する際の各部の動作を説明する。なお、ここでは、位置Ｐｉからホームポジション（Ｐｈ）に移動する際の動作について説明する。
まず、最後の用紙Ｓにおける搬送方向の後端がオフセット排出ロール２３を通過した後、オフセット排出ロール２３は、回転を停止する（符号７Ｅ参照）。そして、回転を停止したオフセット排出ロール２３は、ホームポジションである位置Ｐｈへと移動する（符号７Ｆ参照）。より具体的には、符号７Ｆに示すように、フロント側の位置Ｐｊに配置されているオフセット排出ロール２３は、一旦リア側の位置Ｐｉへと移動した後に位置Ｐｈへと戻る。
【００３７】
そして、オフセット排出ロール２３がホームポジションである位置Ｐｈに配置された後に、カバーロック部７０によるカバー部材８０のロックが解除される。より具体的には、ロックピン７１が位置Ｐｂから位置Ｐａに移動（図３の矢印Ｃ参照）し、ロックピン７１が被拘束部８５の開口８７の外に配置される。これにより、カバー部材８０の開放が可能となり、画像が形成され胴内積載部６０に積載された用紙Ｓの取り出しが可能となる。
【００３８】
ここで、本実施の形態においては、オフセット排出ロール２３がホームポジションへ戻る際、オフセット排出ロール２３は、上述のように一旦リア側の位置Ｐｉへと移動した後に位置Ｐｈへと戻る。また、上記で説明を省略したが、本実施の形態では、用紙Ｓ搬送後におけるオフセット排出ロール２３の位置が位置Ｐｉとなっている場合、位置Ｐｉから直接位置Ｐｈへと戻る。つまり、本実施の形態では、オフセット排出ロール２３の位置に関わらず、オフセット排出ロール２３は、位置Ｐｉを経由して位置Ｐｈへと戻ることになる。このことにより、オフセット排出ロール２３がホームポジションへと戻る際にいずれの方向から戻ったかによって生じ得るオフセット排出ロール２３の位置のばらつきが抑制される。
【００３９】
また、本実施の形態の構成では、上記のように、オフセット排出ロール２３の回転が停止した後に、カバーロック部７０によるカバー部材８０のロックが解除されるようになっている。この場合、回転しているオフセット排出ロール２３にユーザが触れることが抑制されるようになる。また、本実施の形態では、図７の符号７Ｇに示すように、オフセット排出ロール２３のホームポジションへの移動が終了した後に（移動が停止した後）に、カバーロック部７０によるカバー部材８０のロックが解除されるようになっている。この場合は、移動するオフセット排出ロール２３にユーザが触れることが抑制されるようになる。
【００４０】
＜第２の実施形態＞
次に、図８を参照しながら、第２の実施形態について説明をする。ここで、図８は、オフセット排出ロール２３とカバーロック部７０との関係を示すタイミングチャートの他の一例である。
【００４１】
上述の態様においては、オフセット排出ロール２３がホームポジションである位置Ｐｈへ戻った後に、カバーロック部７０がカバー部材８０のロックを解除した。一方で、本実施の形態においては、図８に示すように、オフセット排出ロール２３がホームポジションへ戻る動作（符号Ｈ参照）を行う前に、カバー部材８０のロックを解除する（符号８Ａ参照）。付言すれば、最後に搬送されてきた用紙Ｓの搬送方向における後端が、オフセット排出ロール２３を通過した後に、カバーロック部７０によるカバー部材８０のロックを解除する。
本実施の形態によれば、オフセット排出ロール２３がホームポジションへ戻る前に、カバー部材８０の開放が可能となり、上記にて説明した処理に比較してより早期に、用紙Ｓの取り出しが可能となる。
【００４２】
なお上記のように、オフセット排出ロール２３がホームポジションへ戻る前にロックを解除する場合、回転しかつホームポジションに移動するオフセット排出ロール２３にユーザがアクセス可能となってしまう。そこで、本実施の形態では、ユーザによってカバー部材８０が開放された場合、オフセット排出ロール２３の回転およびホームポジションへ戻る動作を停止させる。より具体的には、カバー部材８０の開放がカバーセンサ（図示せず）により検知された場合に、電磁クラッチ２５を動作させ、オフセット排出ロール２３への回転駆動力の伝達を遮断する。また、オフセット排出ロール２３を軸方向に移動させるステッピングモータ（図示せず）を停止させる。これにより、オフセット排出ロール２３の回転およびホームポジションへの移動が停止する。
【００４３】
ここで、本実施の形態では、最後に搬送されてきた用紙Ｓがオフセット排出ロール２３を通過した後も、図８の符号８Ｂに示すように、予め定められた時間、オフセット排出ロール２３を回転させる。このように、オフセット排出ロール２３の回転を継続させた場合、用紙Ｓの搬送方向における後端がオフセット排出ロール２３（あるいはオフセット排出ロール２３周辺の部材）に引っかかった状態となることが抑制される。付言すると、胴内積載部６０に用紙Ｓが完全に落ちきらないという事態の発生が抑制される。
【００４４】
なお、上記のように、オフセット排出ロール２３がホームポジションへ戻る動作を停止させた場合、ホームポジション以外の箇所にオフセット排出ロール２３が位置するようになる。そこでこの場合、例えば、画像形成装置１００にて次の画像形成動作が行われる際に、オフセット排出ロール２３をホームポジションへ戻す。なおこの際、カバー部材８０が閉じられていることを、カバーセンサ（図示せず）にて確認し、閉じられている場合のみ戻す処理を行うことが好ましい。
【００４５】
＜他の実施形態＞
上述の実施形態においては、記録材処理装置の例として画像形成装置１００を用いて説明したが、これに限定されない。記録材処理装置としては、例えば後処理装置や用紙積載装置等であってもよい。後処理装置としては、ステープル針を用いて（あるいは用いることなく）記録材に対する綴じ処理を行う綴じ処理装置、パンチ穴をあけるパンチャ、折り筋を付ける折り筋装置等を有する構成がある。用紙積載装置としては、用紙を複数の積載部に仕分けられる機構等を有する構成がある。
【００４６】
また、上述の実施形態においては、カバー部材８０を画像形成装置１００の前面（操作面側）に設ける構成を用いて説明したが、これに限定されない。例えば、画像形成装置１００の側面に設けてもよい。図１を用いて例示すると、胴内積載部６０と画像読取装置３０との間に形成される空間の図１中の右側面に設けてもよい。
さらに、画像形成装置１００の前面（操作面側）と画像形成装置１００の側面との両面にそれぞれカバー部材８０を設けるよう構成してもよい。
【符号の説明】
【００４７】
１Ｙ，１Ｍ，１Ｃ，１Ｋ…画像形成ユニット、１９…二次転写部、２１…定着装置、２３…オフセット排出ロール、２３ａ…駆動ロール、２３ｂ…従動ロール、５０…筺体、６０…胴内積載部、７０…カバーロック部、７１…ロックピン、７３…戻しばね、７５…ソレノイド、８０…カバー部材、８５…被拘束部、８７…開口、１００…画像形成装置、Ｓ…用紙
【図１】
2012096897.tif 000003
【図２】
2012096897.tif 000004
【図３】
2012096897.tif 000005
【図４】
2012096897.tif 000006
【図５】
2012096897.tif 000007
【図６】
2012096897.tif 000008
【図７】
2012096897.tif 000009
【図８】
2012096897.tif 000010